(57)【特許請求の範囲】
【請求項１】
音声およびデータ通信におけるワイヤレス接続を管理する方法であって、前記方法は、デバイスが実行し、前記方法は、
無線リンク制御（ＲＬＣ）制御情報を受信することと、
１つまたは複数の周波数（ＲＦ）状態を検出することと、
前記受信したＲＬＣ制御情報と無関係に、前記ＲＦ状態に応じてＲＬＣフロー制御を動的に調節することと
を備える方法。
【請求項２】
前記デバイスは、ユーザ機器である、
請求項１に記載の方法。
【請求項３】
前記デバイスは、ネットワーク機器である、
請求項１に記載の方法。
【請求項４】
前記調節は、１つまたは複数のＲＬＣパラメータを備える、
請求項１に記載の方法。
【請求項５】
前記調節は、それぞれ標準化された値を超える前記１つまたは複数のＲＬＣパラメータを調節することを備える、
請求項４に記載の方法。
【請求項６】
前記調節は、許容できるＲＬＣパラメータ設定の範囲を超えることを備える、
請求項４に記載の方法。
【請求項７】
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
請求項４に記載の方法。
【請求項８】
前記検出することは、ＲＦ測定値、ブロック誤り率（ＢＬＥＲ）、再送信の数、およびＲＬＣリセットの発生頻度のうちの少なくとも１つによってトリガされる、
請求項１に記載の方法。
【請求項９】
音声およびデータ通信におけるワイヤレス接続を管理するように構成されたデバイスであって、
無線リンク制御（ＲＬＣ）制御情報を受信するように構成された受信機と、
１つまたは複数の周波数（ＲＦ）状態を検出し、
前記受信したＲＬＣ制御情報と無関係に、前記ＲＦ状態に応じてＲＬＣフロー制御を動的に調節する
ように構成された制御器と
を備える、デバイス。
【請求項１０】
前記デバイスは、ユーザ機器として構成される、
請求項９に記載のデバイス。
【請求項１１】
前記デバイスは、ネットワーク機器として構成される、
請求項９に記載のデバイス。
【請求項１２】
前記制御器は、１つまたは複数のＲＬＣパラメータを調節することによって前記ＲＬＣフロー制御を調節するように構成される、
請求項９に記載のデバイス。
【請求項１３】
前記制御器は、それぞれ標準化された値を超える１つまたは複数のＲＬＣパラメータを調節することによって前記ＲＬＣフロー制御を調節するように構成される、
請求項１２に記載のデバイス。
【請求項１４】
前記制御器は、許容できるＲＬＣパラメータ設定の範囲を超えることによって前記ＲＬＣフロー制御を調節するように構成される、
請求項１２に記載のデバイス。
【請求項１５】
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
請求項１２に記載のデバイス。
【請求項１６】
前記制御器は、ＲＦ測定値、ブロック誤り率（ＢＬＥＲ）、再送信の数、およびＲＬＣリセットの発生頻度のうちの少なくとも１つによってトリガされる、前記１つまたは複数の無線周波数（ＲＦ）状態を検出するように構成される、
請求項９に記載のデバイス。
【請求項１７】
音声およびデータ通信におけるワイヤレス接続を管理する装置であって、
無線リンク制御（ＲＬＣ）制御情報を受信するための手段と、
１つまたは複数の周波数（ＲＦ）状態を検出するための手段と、
前記受信したＲＬＣ制御情報と無関係に、前記ＲＦ状態に応じてＲＬＣフロー制御を動的に調節するための手段と
を備える装置。
【請求項１８】
前記調節するための手段は、ユーザ機器を備える、
請求項１７に記載の装置。
【請求項１９】
前記調節するための手段は、ネットワーク機器を備える、
請求項１７に記載の装置。
【請求項２０】
調節するための手段は、１つまたは複数のＲＬＣパラメータを備える、
請求項１７に記載の装置。
【請求項２１】
調節するための手段は、それぞれ標準化された値を超える前記１つまたは複数のＲＬＣパラメータを調節することを備える、
請求項２０に記載の装置。
【請求項２２】
調節するための手段は、許容できるＲＬＣパラメータ設定の範囲を超えるための手段を備える、
請求項２０に記載の装置。
【請求項２３】
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
請求項２０に記載の装置。
【請求項２４】
前記検出するための手段は、ＲＦ測定値、ブロック誤り率（ＢＬＥＲ）、再送信の数、およびＲＬＣリセットの発生頻度のうちの少なくとも１つによってトリガされる、
請求項１７に記載の装置。
【請求項２５】
装置の少なくとも１つのプロセッサによって実行される場合、前記装置に、
無線リンク制御（ＲＬＣ）制御情報を受信し、
１つまたは複数の無線周波数（ＲＬ）状態を検出し、
前記受信したＲＬＣ制御情報と無関係に、前記ＲＦ状態に応じてＲＬＣフロー制御を動的に調節する
ことを行わせる命令を備える
非一時的コンピュータ可読記憶媒体。
【請求項２６】
前記装置は、ユーザ機器を備える、
請求項２５に記載の媒体。
【請求項２７】
前記装置は、ネットワーク機器を備える、
請求項２５に記載の媒体。
【請求項２８】
前記装置の少なくとも１つのプロセッサによって実行される場合、前記装置に、１つまたは複数のＲＬＣパラメータを調節することを行わせる命令をさらに備える、
請求項２５に記載の媒体。
【請求項２９】
前記装置の少なくとも１つのプロセッサによって実行される場合、前記装置に、それぞれ標準化された値を超える前記１つまたは複数のＲＬＣパラメータを調節することを行わせる命令をさらに備える、
請求項２８に記載の媒体。
【請求項３０】
前記装置の少なくとも１つのプロセッサによって実行される場合、前記装置に、許容できるＲＬＣパラメータ設定の範囲を超えることを行わせる命令をさらに備える、
請求項２８に記載の媒体。
【請求項３１】
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
請求項２８に記載の媒体。
【請求項３２】
前記装置の少なくとも１つのプロセッサによって実行される場合、前記装置に、ＲＦ測定値、ブロック誤り率（ＢＬＥＲ）、再送信の数、およびＲＬＣリセットの発生頻度のうちの少なくとも１つによって前記検出をトリガすることを行わせる命令をさらに備える、
請求項２５に記載の媒体。
【発明の詳細な説明】
【関連出願】
【０００１】
関連出願の相互参照  
本開示は、「METHODS AND APPARATUS FOR ENHANCED UL RLC FLOW CONTROL FOR mRAB CALLS」と題する、２０１１年７月１日に出願され、本出願の譲受人に譲渡された米国仮特許出願第６１／５０４，１０３号、および「Methods and Apparatus for Enhanced UL RLC Flow Control for mRAB calls」と題する、２０１１年７月１日に出願され、本出願の譲受人に譲渡された米国仮特許出願第６１／５０５，４０９号に対する優先権を主張する。この先願の開示は、本開示の一部と見なされ、参照により本開示に組み込まれる。
【技術分野】
【０００２】
本発明の態様は、ワイヤレス通信に関し、詳細には、ワイヤレス状態に基づいて多元無線アクセスベアラ通信を可能にするように構成されたシステム、方法および装置に関する。
【背景技術】
【０００３】
ワイヤレス通信システムは、音声、データなど、様々なタイプの通信コンテンツを提供するために広く展開されている。これらのシステムは、利用可能なシステムリソース（例えば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末（例えばセルフォン、タブレットコンピュータおよび他の電子デバイス）のための通信を同時にサポートすることができる。各ワイヤレス端末は、１つまたは複数のアップリンクおよびダウンリンク上での送信によって１つまたは複数の基地局と通信する。ダウンリンク（または順方向リンク）とは、基地局からワイヤレス端末への通信リンクを指し、アップリンク（または逆方向リンク）とは、ワイヤレス端末から基地局への通信リンクを指す。これらの通信リンクは、単入力単出力（ＳＩＳＯ）、多入力単出力（ＭＩＳＯ）、または多入力多出力（ＭＩＭＯ）システムにより確立可能である。
【０００５】
ＭＩＭＯシステムは、データ送信のために複数の送信アンテナと複数の受信アンテナとを採用する。送信アンテナと受信アンテナとによって形成されるＭＩＭＯチャネルは、空間チャネルと呼ばれることもある独立チャネルに分解され得る。独立チャネルの各々は、１つの次元に対応する。複数の送信アンテナおよび受信アンテナによって生成された追加の次元が利用された場合、ＭＩＭＯシステムは改善されたパフォーマンス（例えば、より高いスループットおよび／またはより大きい信頼性）を提供することができる。
【０００６】
ＭＩＭＯシステムは時分割複信（ＴＤＤ）および周波数分割複信（ＦＤＤ）システムをサポートする。ＴＤＤシステムでは、アップリンクおよびダウンリンク送信が同じ周波数領域内で行われるので、相反定理によるアップリンクチャネルからのダウンリンクチャネルの推定が可能である。これにより、複数のアンテナが基地局で利用可能なとき、基地局はダウンリンク上で送信ビームフォーミング利得を抽出することが可能になる。
【０００７】
基地局の主目的は、１つのワイヤレス端末または複数の端末とコア通信ネットワークとの間の接続性を提供することである。ＵＭＴＳ無線アクセスネットワーク（ＲＡＮ）において、基地局の機能性は、２つのネットワーク要素の間で分割することができ、すなわち無線ネットワークコントローラ（ＲＮＣ）は、他の機能の中でも、接続セットアップと、リソース割当てと、移動性とを扱い、ベースノード（ノードＢ）は、ワイヤレス端末との間の無線送信および受信ならびに共有チャネル上での接続ユーザ向けのリソース割振りを扱うように構成される。
【０００８】
ワイヤレス端末と基地局との間の呼接続を確立するために、無線アクセスベアラ（ＲＡＢ）が必要とされる。ＲＡＢは、ワイヤレス端末とコア通信ネットワークとの間で音声または他のデータを搬送する。例えば、音声データ、ストリーミングデータ（例えばビデオクリップのストリーミング）、対話データ（例えばウェブサイトとの対話）など、異なるタイプのデータ用に異なるタイプのＲＡＢがある。音声およびデータの同時接続は、複数のＲＡＢを必要とし、マルチＲＡＢまたはＭＲＡＢ接続と呼ばれ得る。初期の頃の複合音声およびデータネットワーク、例えば３Ｇ  ＵＭＴＳでは、音声およびデータの同時接続は一般的でなかった。しかしながら、比較的新しいワイヤレス端末デバイス（例えば、タッチスクリーンセルラー電話）は、ますます音声およびデータ接続を同時に使うようになっている。したがって、ＭＲＡＢリソースの管理の改善が必要である。特に、ＭＲＡＢ呼は、世界的ＵＭＴＳ  ３Ｇネットワークにおける音声呼と比較して、大幅に高い呼断レート（ＤＣＲ）に遇う場合がある。ネットワークおよびユーザ機器（ＵＥ）側における専用の最適化により、ＭＲＡＢ呼のパフォーマンス不良を軽減することができる。
【発明の概要】
【０００９】
添付の特許請求の範囲内のシステム、方法および装置の様々な実装形態は、それぞれいくつかの態様を有し、それらのうちの単一の態様が、単独で、本明細書で説明される望ましい特性を担当することはない。添付の特許請求の範囲を限定することなく、いくつかの顕著な特徴が本明細書で説明される。この説明を考察すれば、特に「発明を実施するための形態」と題するセクションを読めば、どのように様々な実装形態の特徴を使用して、ＭＲＡＢ呼における様々なチャネルへの電力割り振りを管理するかが理解されよう。
【００１０】
１つの態様では、音声およびデータ通信におけるワイヤレス接続を管理する方法が提供される。方法は、無線リンク制御（ＲＬＣ）制御情報を受信することを含む。方法は、１つまたは複数の無線周波数（ＲＦ）状態を検出することをさらに含む。方法は、受信したＲＬＣ制御情報と無関係に、ＲＦ状態に応じてＲＬＣフロー制御を動的に調節することをさらに含む。
【００１１】
１つの実施形態では、調節することは、ユーザ機器が実行することができる。１つの実施形態では、調節することは、ネットワーク機器が実行することができる。１つの実施形態では、調節することは、１つまたは複数のＲＬＣパラメータを調節することを含むことができる。１つの実施形態では、調節することは、それぞれ標準化された値を超えて１つまたは複数のＲＬＣパラメータを調節することを含むことができる。１つの実施形態では、調節することは、許容できるＲＬＣパラメータ設定の範囲を拡張することを含むことができる。１つまたは複数のＲＬＣパラメータは、最大リセットタイマおよびカウンタ、ＲＬＣウィンドウサイズ、ポーリングタイマ（poll timer）、およびステータスタイマのうちの１つまたは複数を含むことができる。検出することは、ＲＦ測定値、ブロック誤り率（ＢＬＥＲ）、再送信の数、およびＲＬＣリセットの発生頻度のうちの少なくとも１つによってトリガされることができる。
【００１２】
別の態様では、音声およびデータ通信におけるワイヤレス接続を管理するように構成されるデバイスが提供される。デバイスは、無線リンク制御（ＲＬＣ）制御情報を受信するように構成される受信機を含む。デバイスは、１つまたは複数の無線周波数（ＲＦ）状態を検出するように構成される制御器をさらに含む。制御器は、受信したＲＬＣ制御情報と無関係に、ＲＦ状態に応じてＲＬＣフロー制御を動的に調節するようにさらに構成される。
【００１３】
１つの実施形態では、デバイスは、ユーザ機器として構成されることができる。１つの実施形態では、デバイスは、ネットワーク機器として構成されることができる。１つの実施形態では、制御器は、１つまたは複数のＲＬＣパラメータを調節することによってＲＬＣフロー制御を調節するように構成されることができる。１つの実施形態では、制御器は、それぞれ標準化された値を超えて１つまたは複数のＲＬＣパラメータを調節することによってＲＬＣフロー制御を調節するように構成されることができる。１つの実施形態では、制御器は、許容できるＲＬＣパラメータ設定の範囲を拡張することによってＲＬＣフロー制御を調整するように構成されることができる。１つまたは複数のＲＬＣパラメータは、最大リセットタイマおよびカウンタ、ＲＬＣウィンドウサイズ、ポーリングタイマ（poll timer）、およびステータスタイマのうちの１つまたは複数を含むことができる。制御器は、ＲＦ測定値、ブロック誤り率（ＢＬＥＲ）、再送信数、およびＲＬＣリセットの発生頻度のうちの少なくとも１つによってトリガされる１つまたは複数の無線周波数（ＲＦ）状態を検出するように構成されることができる。
【００１４】
別の態様では、音声およびデータ通信におけるワイヤレス接続を管理するように構成される装置が提供される。装置は、無線リンク制御（ＲＬＣ）制御情報を受信するための手段を含む。装置は、１つまたは複数の無線周波数（ＲＦ）状態を検出するための手段をさらに含む。装置は、受信したＲＬＣ制御情報と無関係に、ＲＦ状態に応じてＲＬＣフロー制御を動的に調節するための手段をさらに含む。
【００１５】
１つの実施形態では、調節するための手段は、ユーザ機器を含むことができる。１つの実施形態では、調節するための手段は、ネットワーク機器を含むことができる。１つの実施形態では、調節するための手段は、１つまたは複数のＲＬＣパラメータを調節するための手段を含むことができる。１つの実施形態では、調節するための手段は、それぞれ標準化された値を超えて１つまたは複数のＲＬＣパラメータを調節するための手段を含むことができる。１つの実施形態では、調節するための手段は許容できるＲＬＣパラメータ設定の範囲を拡張するための手段を含むことができる。１つまたは複数のＲＬＣパラメータは、最大リセットタイマおよびカウンタ、ＲＬＣウィンドウサイズ、ポーリングタイマ（poll timer）、およびステータスタイマのうちの１つまたは複数を含むことができる。検出するための手段は、ＲＦ測定値、ブロック誤り率（ＢＬＥＲ）、再送信数、およびＲＬＣリセットの発生頻度のうちの少なくとも１つによってトリガされることができる。
【００１６】
別の態様では、非一時的なコンピュータ可読記憶が提供される。媒体は、装置の少なくとも１つのプロセッサによって実行された時、装置に、無線リンク制御（ＲＬＣ）制御情報を受信することを行わせる命令を含む。媒体は、装置の少なくとも１つのプロセッサによって実行された時、装置に、１つまたは複数の無線周波数（ＲＦ）状態を検出することを行わせる命令をさらに含む。媒体は、装置の少なくとも１つのプロセッサによって実行された時、装置に、受信したＲＬＣ制御情報と無関係に、ＲＦ状態に応じてＲＬＣフロー制御を動的に調節することを行わせる命令を含む。
【００１７】
１つの実施形態では、装置は、ユーザ機器を含むことができる。１つの実施形態では、装置は、ネットワーク機器を含むことができる。１つの実施形態では、媒体は、装置の少なくとも１つのプロセッサによって実行された時、装置に、１つまたは複数のＲＬＣパラメータの調節させる命令をさらに含むことができる。１つの実施形態では、媒体は、装置の少なくとも１つのプロセッサによって実行された時、装置に、それぞれ標準化された値を超えて１つまたは複数のＲＬＣパラメータを調節させる命令をさらに含むことができる。１つの実施形態では、媒体は、装置の少なくとも１つのプロセッサによって実行された時、装置に、調節するための手段は許容できるＲＬＣパラメータ設定の範囲を拡張させる命令をさらに含むことができる。１つまたは複数のＲＬＣパラメータは、最大リセットタイマおよびカウンタ、ＲＬＣウィンドウサイズ、ポーリングタイマ（poll timer）、およびステータスタイマのうちの１つまたは複数を含むことができる。１つの実施形態では、媒体は、装置の少なくとも１つのプロセッサによって実行された時、装置に、ＲＦ測定値、ブロック誤り率（ＢＬＥＲ）、再送信数、およびＲＬＣリセットの発生頻度のうちの少なくとも１つによって該検出をトリガさせる命令を含む。
【図面の簡単な説明】
【００１８】
本開示の特徴を詳細に理解することができるように、添付の図面にその一部が示される態様を参照することによって、上記で簡単に要約されたより具体的な説明を得ることができる。しかしながら、その説明は他の等しく有効な態様を認め得るので、添付の図面は、本開示のいくつかの典型的な態様のみを示し、したがって、本開示の範囲を限定するものと見なすべきではないことに留意されたい。
【図１】ワイヤレス通信システムの例示的な機能ブロック図。
【図２】通信ノード、そのようなワイヤレス端末および基地局の間の通信を円滑にするのに利用することができる構成要素の例示的な機能ブロック図。
【図３】図１のワイヤレス端末における通信に基づいてワイヤレス状態の方法の実装形態を示す例示的なフローチャート。
【図４】図１のワイヤレス端末における通信に基づいてワイヤレス状態の方法の別の実装形態を示す例示的なフローチャート。
【図５】別のワイヤレス端末の例示的な機能ブロック図。
【００１９】
慣例により、図面に示される様々な特徴は縮尺通りに描かれていないことがある。したがって、様々な特徴の寸法は、分かりやすいように任意に拡大または縮小されることがある。さらに、図面のいくつかは、所与のシステム、方法またはデバイスの構成要素のすべてを示しているとは限らないことがある。最後に、明細書および図の全体にわたって、同じ特徴を示すために同じ参照番号が使用されることがある。
【発明を実施するための形態】
【００２０】
添付の特許請求の範囲内の実装形態の様々な態様が以下で説明される。本明細書で説明する態様は多種多様な形態で実装され得、本明細書で説明する任意の特定の構造および／または機能は、例示的なものにすぎないことは明らかであろう。本開示に基づいて、本明細書で説明される態様は他の態様とは独立に実装され得ること、およびこれらの態様のうちの２つ以上は様々な方法で組み合わせられ得ることを、当業者は諒解されたい。例えば、本明細書に記載の任意の数の態様を使用して、装置が実装され、かつ／または方法が実施され得る。加えて、本明細書に記載の態様のうちの１つまたは複数に加えて、あるいはそれら以外の、他の構造および／または機能を使用して、そのような装置が実装されてよく、かつ／またはそのような方法が実施されてよい。
【００２１】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、ワイドバンドＣＤＭＡ（Ｗ−ＣＤＭＡ（登録商標））および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、ＩＥＥＥ８０２．２２、Ｆｌａｓｈ−ＯＦＤＭＡなどの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。同様に、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。
【００２２】
いくつかの態様では、マクロスケールのカバレージ（例えば、一般にマクロセルネットワークと呼ばれる、３Ｇネットワークなどの広域セルラーネットワーク）、およびより小さいスケールのカバレージ（例えば、住居ベースまたは建築物ベースのネットワーク環境）を含むネットワーク中で、本明細書の教示を採用することができる。ワイヤレス端末（ＷＴ）またはユーザ機器（ＵＥ）がそのようなネットワーク中を移動するとき、ワイヤレス端末は、あるロケーションでは、マクロカバレージを提供する基地局（ＢＳ）またはアクセスノード（ＡＮ）によってサービスされ得、他のロケーションでは、より小規模のカバレージを提供するアクセスノード、例えばフェムトノード（ＦＮ）によってサービスされ得る。いくつかの態様では、より小さいカバレージノードを使用して、（例えば、よりロバストなユーザ経験のために）増分キャパシティの増大と、屋内カバレージと、様々なサービスとを提供することができる。本明細書での説明では、比較的大きいエリアにわたるカバレージを提供するノードを、マクロノードと呼ぶことがある。比較的小さいエリア（例えば、住居）にわたるカバレージを提供するノードを、フェムトノードと呼ぶことがある。マクロエリアよりも小さく、フェムトエリアよりも大きいエリアにわたるカバレージを提供する（例えば、商業建築物内のカバレージを提供する）ノードを、ピコノードと呼ぶことがある。
【００２３】
マクロノード、フェムトノード、またはピコノードに関連付けられたセルを、それぞれ、マクロセル、フェムトセル、またはピコセルと呼ぶ。いくつかの実装形態では、各セルをさらに１つまたは複数のセクタに関連付ける（例えば、分割する）ことがある。
【００２４】
様々な適用例では、マクロノード、フェムトノード、またはピコノードを指すために他の用語を使用することがある。例えば、マクロノードを、アクセスノード、アクセスポイント、基地局、ノードＢ、ｅノードＢ、マクロセルなどとして構成すること、またはそのように呼ぶことがある。また、フェムトノードを、ホームノードＢ（ＨＮＢ）、ホームｅノードＢ（ＨｅＮＢ）、アクセスポイントアクセスポイント、フェムトセルなどとして構成すること、またはそのように呼ぶことがある。
【００２５】
図１は、ワイヤレス通信システムの例示的な機能ブロック図を示す。ワイヤレス通信システム１０は、第１の通信リンク１６１および第２の通信リンク１６３を介して互いと通信するように構成された、少なくとも１つのワイヤレス端末１００と、少なくとも１つの基地局１０１とを含み得る。第１および第２の通信リンク１６１、１６３の各々は、各周期の間に単一のパケットがその上で送信され得るシングルパケット通信リンク、または各周期の間に複数のパケットがその上で送信され得るマルチパケット通信リンクであってよい。例えば、第１の通信リンク１６１は、各周期の間にゼロ、１、または２つのパケットがその上で送信され得るデュアルパケット通信リンクであってよい。
【００２６】
図１に示す実装形態において、ワイヤレス端末１００は、メモリ１２０、入力デバイス１３０、および出力デバイス１４０と結合された少なくとも１つのプロセッサ１１０を含む。プロセッサは、モデム１５０およびトランシーバ１６０と結合され得る。図に示すトランシーバ１６０は、モデム１５０およびアンテナ１７０とも結合される。ワイヤレス端末１００およびその構成要素は、バッテリ１８０および／または外部電源によって電力供給され得る。いくつかの実装形態では、バッテリ１８０、またはその部分は、電力インターフェース１９０を介して外部電源によって再充電可能である。別個に説明したが、ワイヤレス端末１００に関して説明した機能ブロックは別個の構造要素である必要がないことを諒解されたい。例えば、プロセッサ１１０およびメモリ１２０を単一のチップにおいて実装することができる。同様に、プロセッサ１１０、モデム１５０、およびトランシーバ１６０のうちの２つ以上を単一のチップにおいて実装することができる。
【００２７】
プロセッサ１１０は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理回路、個別ハードウェア構成要素、または本明細書で説明する機能を実施するように設計されたそれらの任意の適切な組合せであってよい。少なくとも１つのプロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成として実装することもできる。
【００２８】
図１に示す実装形態において、プロセッサ１１０は、１つまたは複数のバスを介して、メモリ１２０からの読取り情報またはメモリ１２０への書込み情報と結合することができる。プロセッサは、追加または代替として、プロセッサレジスタなどのメモリを含み得る。メモリ１２０は、様々なレベルが様々な容量とアクセス速度とを有する、マルチレベルヒエラルキキャッシュを含む、プロセッサキャッシュを含み得る。メモリ１２０はまた、ランダムアクセスメモリ（ＲＡＭ）、他の揮発性記憶デバイス、または不揮発性記憶デバイスを含み得る。ストレージは、ハードドライブ、コンパクトディスク（ＣＤ）またはデジタルビデオディスク（ＤＶＤ）などの光ディスク、フラッシュメモリ、フロッピー（登録商標）ディスク、磁気テープ、およびＺｉｐドライブを含むことができる。
【００２９】
プロセッサ１１０は、それぞれ、ワイヤレス端末１００のユーザから入力を受信し、ユーザに出力を提供するために構成された、入力デバイス１３０および出力デバイス１４０とも結合される。適切な入力デバイスは、限定はしないが、キーボード、ボタン、キー、スイッチ、ポインティングデバイス、マウス、ジョイスティック、リモコン、赤外線検出器、ビデオカメラ（可能性としては、例えば、手振りや顔ジェスチャーを検出するようにビデオ処理ソフトウェアと結合された）、動作検出器、またはマイクロフォン（可能性としては、例えば、音声コマンドを検出するようにオーディオ処理ソフトウェアと結合された）を含み得る。適切な出力デバイスは、限定はしないが、ディスプレイおよびプリンタを含む視覚出力デバイス、スピーカー、ヘッドホン、イヤフォン、およびアラームを含むオーディオ出力デバイス、ならびにフォースフィードバックゲームコントローラおよび振動デバイスを含む触覚出力デバイスを含み得る。
【００３０】
プロセッサ１１０は、モデム１５０およびトランシーバ１６０と結合され得る。モデム１５０およびトランシーバ１６０は、アンテナ１７０を経由し、通信リンク１６１、１６３を介したワイヤレス送信用にプロセッサ１１０によって生成されたデータを準備するように構成され得る。モデム１５０およびトランシーバ１６０はまた、アンテナ１７０を経由し、通信リンク１６１、１６３を介して受信されたデータを復調する。いくつかの実装形態では、モデム１５０およびトランシーバ１６０は、１つまたは複数のエアインターフェース規格に従って動作するように構成され得る。トランシーバは、送信機１６２、受信機１６４、または両方を含み得る。他の実装形態では、送信機１６２および受信機１６４は２つの別個の構成要素である。モデム１５０およびトランシーバ１６０は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理回路、個別ハードウェア構成要素、または本明細書で説明する機能を実施するように設計されたそれらの任意の適切な組合せとして実装されてよい。アンテナ１７０は、多入力／多出力（ＭＩＭＯ）通信のための多重アンテナを含み得る。
【００３１】
ワイヤレス端末１００およびその構成要素は、バッテリ１８０および／または外部電源によって電力供給され得る。バッテリ１８０は、エネルギーを蓄えるどのデバイスでも、特に、化学エネルギーを蓄え、電気エネルギーとして提供するどのデバイスでもよい。バッテリ１８０は、リチウムポリマーバッテリ、リチウムイオンバッテリ、ニッケル水素バッテリ、またはニッケルカドミウムバッテリを含む１つまたは複数の二次電池、またはアルカリバッテリ、リチウムバッテリ、酸化銀バッテリ、または亜鉛炭素バッテリを含む１つまたは複数の一次電池を含み得る。外部電源は、壁コンセント、車両シガーライターソケット、ワイヤレスエネルギー伝達プラットフォーム、または太陽を含み得る。
【００３２】
いくつかの実装形態では、バッテリ１８０、またはその部分は、電力インターフェース１９０を介して外部電源によって再充電可能である。電力インターフェース１９０は、バッテリ充電器を接続するためのジャック、近距離ワイヤレスエネルギー伝達のためのインダクタ、または太陽エネルギーを電気エネルギーに変換するための光起電力パネルを含み得る。
【００３３】
いくつかの実装形態では、ワイヤレス端末１００は、モバイル電話、個人情報端末（ＰＤＡ）、ハンドヘルドコンピュータ、ラップトップコンピュータ、ワイヤレスデータアクセスカード、ＧＰＳ受信機／ナビゲータ、カメラ、ＭＰ３プレーヤ、カムコーダ、ゲームコンソール、腕時計、時計、またはテレビである。
【００３４】
図１に示すように、基地局１０１は少なくとも、メモリ１１２およびトランシーバ１６５と結合された少なくとも１つのプロセッサ１１１も含む。トランシーバ１６５は、アンテナ１７１と結合された送信機１６７と受信機１６６とを含む。プロセッサ１１１、メモリ１１２、トランシーバ１６５、およびアンテナ１７１は、ワイヤレス端末１００を参照して上述したように実装されてよい。
【００３５】
図１のワイヤレス通信システム１０において、基地局１０１は、第１の通信リンク１６１および／または第２の通信リンク１６３を介して、ワイヤレス端末１００にデータパケットを送信することができる。
【００３６】
図２は、通信ノード、そのようなワイヤレス端末および基地局の間の通信を円滑にするのに利用することができる構成要素の例示的な機能ブロック図を示す。詳細には、図２は、通信システム２００の第１のワイヤレスデバイス２１０（例えば、基地局）および第２のワイヤレスデバイス２５０（例えば、ワイヤレス端末）の簡略ブロック図である。第１のデバイス２１０において、いくつかのデータストリームのトラフィックデータが、データソース２１２から送信（ＴＸ）データプロセッサ２１４に提供される。
【００３７】
いくつかの実装形態では、各データストリームは、それぞれの送信アンテナを介して送信される。ＴＸデータプロセッサ２１４は、各データデータストリーム用に選択された特定の符号化方式に基づいて、データストリームごとにトラフィックデータをフォーマットし、符号化し、インターリーブするように構成され得る。
【００３８】
各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよび符号化データは、変調シンボルを提供するために、そのデータストリーム用に選択された特定の変調方式（例えば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ２３０によって実行される命令によって決定され得る。データメモリ２３２は、プロセッサ２３０またはデバイス２１０の他の構成要素によって使用されるプログラムコード、データ、および他の情報を記憶し得る。
【００３９】
図２に示す実装形態では、いくつかのデータストリームの変調シンボルがＴＸ  ＭＩＭＯプロセッサ２２０に提供され得、ＴＸ  ＭＩＭＯプロセッサ２２０はさらに（例えば、ＯＦＤＭ用に）その変調シンボルを処理し得る。次いで、ＴＸ  ＭＩＭＯプロセッサ２２０は、変調シンボルストリームをトランシーバ（ＸＣＶＲ）２２２Ａ〜２２２Ｔに提供する。いくつかの態様では、ＴＸ  ＭＩＭＯプロセッサ２２０は、データストリームのシンボルと、シンボルの送信元のアンテナとにビームフォーミング重みを付加する。 
各トランシーバ２２２は、それぞれのシンボルストリームを受信し、処理して、１つまたは複数のアナログ信号を提供し、さらに、それらのアナログ信号を調整（例えば、増幅、フィルタ処理、およびアップコンバート）して、チャネルを介して送信するのに適した変調信号を提供する。次いで、トランシーバ２２２Ａ〜２２２Ｔからの変調信号は、それぞれ、アンテナ２２４Ａ〜２２４Ｔから送信される。
【００４０】
第２のデバイス２５０では、送信された変調信号はアンテナ２５２Ａ〜２５２Ｒによって受信され、各アンテナ２５２からの受信信号は、それぞれのトランシーバ（ＸＣＶＲ）２５４Ａ〜２５４Ｒに提供される。各トランシーバ２５４は、それぞれの受信信号を調整（例えば、フィルタ処理、増幅、およびダウンコンバート）するように構成されてよく、調整された信号をデジタル化して、サンプルを提供し、さらにそれらのサンプルを処理して、対応する「受信」シンボルストリームを提供する。
【００４１】
次いで、受信（ＲＸ）データプロセッサ１６５は、特定の受信機処理技法に基づいてトランシーバ２５４から受信シンボルストリームを受信し、処理して、「検出」シンボルストリームを提供する。次いで、ＲＸデータプロセッサ１６５は、各検出シンボルストリームを復調し、デインターリーブし、復号して、データストリームのトラフィックデータを復元する。ＲＸデータプロセッサ１６５による処理は、デバイス２１０におけるＴＸ  ＭＩＭＯプロセッサ２２０およびＴＸデータプロセッサ２１４によって実行される処理と相補的なものである。
【００４２】
プロセッサ２７０はアップリンクメッセージを定式化し、このメッセージは、通信リンクおよび／または受信データストリームに関する様々なタイプの情報を備えることができる。次いで、逆方向リンクメッセージは、データソース２３６からいくつかのデータストリームのトラフィックデータをも受信するＴＸデータプロセッサ２３８によって処理され、変調器２８０によって変調され、トランシーバ２５４Ａ〜２５４Ｒによって調整され、デバイス２１０に返送される。
【００４３】
デバイス２１０では、第２のデバイス２５０からの変調信号は、アンテナ２２４によって受信され、トランシーバ２２２によって調整され、復調器（ＤＥＭＯＤ）２４０によって復調され、ＲＸデータプロセッサ２４２によって処理されて、第２のデバイス２５０によって送信されたアップリンクメッセージが抽出される。プロセッサ２３０は次いで、抽出されたメッセージを処理する。
【００４４】
図２はまた、通信構成要素が、アクセス制御を実行する１つまたは複数の構成要素を含み得ることを示す。例えば、アクセス制御構成要素２９０は、プロセッサ２３０および／またはデバイス２１０の他の構成要素と協働して、別のデバイス（例えば、デバイス２５０）との間で信号を送信／受信し得る。同様に、アクセス制御構成要素２９２は、プロセッサ２７０および／またはデバイス２５０の他の構成要素と協働して、別のデバイス（例えば、デバイス２１０）との間で信号を送信／受信し得る。各デバイス２１０および２５０について、説明する構成要素のうちの２つ以上の機能が単一の構成要素によって提供され得ることを諒解されたい。例えば、単一の処理構成要素がアクセス制御構成要素２９０およびプロセッサ２３０の機能を提供し得、かつ、単一の処理構成要素がアクセス制御構成要素２９２およびプロセッサ２７０の機能を提供し得る。
【００４５】
基地局とワイヤレス端末との間のインターフェースは、いくつかのプロトコルレイヤからなるプロトコルスタックで記述することができ、レイヤはそれぞれ、上および／または下の次のレイヤに特定のサービスを提供する。例えば、プロトコルスタックの最上位レイヤは、無線リソース制御（ＲＲＣ）レイヤと呼ばれることもあり、シグナリングを制御して、ワイヤレス端末へのワイヤレス接続を制御することができる。このレイヤは、基地局からの、ワイヤレス端末の態様の制御をさらに提供することができ、無線ベアラ、物理チャネル、異なるチャネルタイプのマッピング、測定および他の機能を制御するための機能を含み得る。
【００４６】
いくつかの例示では、不良無線周波数（ＲＦ）環境におけるパケット交換（ＰＳ）ＲＡＢのような、ＭＲＡＢ呼におけるデータ接続の失敗は、比較的高いＤＣＲを生じる。ワイヤレス端末１００の送信電力が最大レベルに達したときの不良ＲＦ状態においてさえも、ワイヤレス端末１００は、アップリンク（ＵＬ）で少量のデータを送り続けることができる。ある実施形態では、トランスポートフォーマット組合せ（ＴＦＣ）の最小セットは、ワイヤレス端末１００が、割り当てられた送信電力量および／またはヘッドルーム制約にかかわらずＵＬで送信することを許可されるＴＦＣセットである。いくつかの実装形態では、ＴＦＣの最小セット中には、ＰＳ  ＲＡＢからのただ１つの送信ブロックを含むＴＦＣがある。したがって、送信されるべき音声もシグナリングもないとすると、ワイヤレス端末１００が電力を使い果たしそうなときであっても、データは、ＵＬで送信することができる。
【００４７】
しかしながら、送信されたＵＬデータは、不良ＲＦ状態のせいで、アクセスポイント（ＡＰ）によって肯定応答されない場合がある。関連タイマが満了した後、ワイヤレス端末１００は、無線リンク制御（ＲＬＣ）リセットプロシージャをトリガしてよい。様々な環境では、リセットプロシージャも、不良ＲＦ状態のせいで失敗する場合がある。リセット失敗は、無線リソース制御（ＲＲＣ）接続の切断につながる場合があり、結果として適用可能な規格に準拠した呼断が生じる。あるポリシーの下で、データ専用呼は、容易に再確立することができるので、データ専用呼が切断することを許容し得る。一方、データ呼に対するリセットにより音声呼も終了する状況では、ＭＲＡＢ呼が切断するのは許容可能でない場合がある。
【００４８】
したがって、不良ＲＦ状態においてＰＳ  ＲＡＢが接続全体を終了させるのを防止するために、ＰＳ  ＲＡＢを他のＲＡＢから分離する必要がある。ある実施形態では、ワイヤレス端末１００は、検出したＲＦ状態に応じてＲＬＣフロー制御を調節することができる。より具体的には、ワイヤレス端末１００は、失敗したリセットが回路交換（ＣＳ）呼に失敗したデータ接続の後に失敗させる場合のような、不良ＲＦ状態におけるＲＬＣリセットを送ることを回避または遅延させることができる。本明細書に記載する方法およびシステムは、Ｖｏｉｃｅ＋リリース９９（Ｒ９９）ＵＬ＋ＨＳＤＰＡダウンリンク（ＤＬ）ＭＲＡＢ構成に特に適用可能である。
【００４９】
実施形態では、ワイヤレス端末１００は、ＲＬＣリセットを回避するために１つまたは複数のＲＬＣパラメータを一方のみに動的に調節することができる。ＲＬＣパラメータは、最大リセットタイマおよびカウンタ、ＲＬＣウィンドウサイズ、ポーリングタイマ（poll timer）、およびステータスタイマのうちの１つまたは複数を含む（ただし、これらに限定されない）。いくつかの実施形態では、ワイヤレス端末１００は、データ特有のＲＬＣパラメータのみを調節し得る。ワイヤレス端末１００は、以下の状態のうちの１つまたは複数に基づいてＲＬＣパラメータを調節することができる：（ＲＳＣＰ、Ｅｃ／Ｎｏ、ＣＱＩ等のような）ＲＦ品質測定値、（物理レイヤ、ＭＡＣレイヤ、ＲＬＣレイヤのような）様々なレイヤでのブロック誤り率（ＢＬＥＲ）、再送信の数、ＲＬＣリセットの発生、および不良ＲＦ状態を反映する他のトリガポイント。
【００５０】
ワイヤレス端末１００は、周期的変更、イベントトリガされた変更（event triggerd changes）、および増加／減少量を有するインクリメンタルな変更、のうちの１つまたは複数を使用して間隔および量におけるＲＬＣ制御パラメータを調節することができる。例えば、悪化しているＲＦ環境では、調節は、より頻繁に行われ、その逆もまた同様である。さらに、悪化しているＲＦ環境では、ステップサイズの調節は、より大きくなり、その逆もまた同様である。
【００５１】
図３は、図１のワイヤレス端末１００におけるワイヤレス通信の方法３００の実装形態を示す例示的なフローチャートを示す。方法３００はここでは、図１を参照して上で論じたワイヤレス端末１００を参照して記述されるが、方法３００は、例えば、デバイス２１０および２５０（図２）の一方または両方など、他のどの適切なデバイスによって実装されてもよいことが当業者には諒解されよう。ある実施形態では、方法３００は、送信機１６２、受信機１６４、およびメモリ１２０とともに、ＣＰＵ１１０によって実施することができる。本明細書では、方法３００を特定の順序に関して説明しているが、様々な実施形態において、本明細書のブロックは異なる順序で実行されても、または省略されてもよく、さらなるブロックが追加されてもよい。
【００５２】
最初に、方法３００は、ブロック３１０で開始し、ワイヤレス端末１００が、１つまたは複数のメトリックに従ってＲＦ品質を評価する。様々な実施形態では、ワイヤレス端末１００は、例えば、ＲＦ品質測定値（例えば、受信した信号コード電力、受信した信号強度、パイロットチャネル品質、チャネル品質インジケータ）、ブロック誤り率（例えば、物理レイヤ、媒体アクセス制御レイヤ、無線リンク制御レイヤ）、ワイヤレス端末によって再送信されたパケットの数、基地局によって肯定応答されたパケットの数、基地局によって否定応答されたパケットの数、無線リンク制御（ＲＬＣ）レイヤリセットおよび／または他のＲＬＣフロー制御とステータスインジケータの発生、しきい値を超えるデバイスの送信電力、および／または不良ワイヤレス通信状態の他の兆候、のような１つまたは複数の品質インジケーションを受信または作成することができる。いくつかの実装形態では、制御器は、１つまたは複数の検出器から様々な品質インジケータを直接的または間接的に取得し得る。検出器は、メモリ中に検出された品質インジケータを格納することによって品質インジケータを提供し得る。品質は、個別に評価またはアグリゲートして評価したもの（例えば、ファクタの平均値、複数のファクタを含む合成計算値）である。
【００５３】
次に、ブロック３２０で、ＲＬＣフロー制御がしきい値トリガポイントを超えたかどうか判断する。しきい値は、（基地局１０１のような）別のデバイスから受信される、または別のデバイス（基地局１０１のような）から受信するか、またはローカルに（動的または前もってのいずれかで）決定することができる。いくつかの実装形態では、制御器は、メモリ、ベースバンドプロセッサ、またはそれらと同様なものから（異なるフロー制御メトリックに各々適用できる）１つまたは複数のＲＬＣフロー制御しきい値を取得することができる。しきい値を満たさない場合、ワイヤレス端末１００は、ブロック３１０で、ＲＦ品質を評価し続けることができる。一方、しきい値を満たす場合、ワイヤレス端末１００は、ブロック３４０に進むことができる。
【００５４】
その後、ブロック３４０では、ワイヤレス端末１００は、ＲＬＣバッファにおいて利用可能な送信データがあるかどうか判断する。ＲＬＣバッファにおいて利用可能な送信データがない場合、ワイヤレス端末１００はブロック３１０でＲＦ品質を評価し続けることができる。一方、ＲＬＣバッファにおいて利用可能な送信データがある場合、ワイヤレス端末１００はブロック３５０に移ることができる。
【００５５】
続いて、ブロック３５０で、ワイヤレス端末１００は、調節するために１つまたは複数のＲＬＣパラメータを決定する。以上で議論されるように、ワイヤレス端末１００は、最大リセットタイマおよびカウンタ、ＲＬＣウィンドウサイズ、ポーリングタイマ、リセットタイマ、およびステータスタイマのうちの１つまたは複数を潜在的に調節することができる。
【００５６】
その後、ブロック３６０で、ワイヤレス端末１００は、調節されるべきＲＬＣパラメータの各々を変更する間隔および／または量をさらに決定することができる。間隔および／または量は、以上で議論されたＲＦ品質インジケータに基づくことができる。様々な実施形態では、１つまたは複数のＲＬＣパラメータは、振幅および／または周波数の観点から選択された１つまたは複数のレートで変更することができる。例えば、ワイヤレス端末１００は、周期的変更、イベントトリガされる変更、量を増加／減少することを有するインクリメンタルな変更を適用することができる。周波数に関して、調節は、多かれ少なかれたびたび起こる。振幅に関して、調節ステップサイズは、より大きくまたはより小さくなり得る。
【００５７】
次に、ブロック３７０で、ワイヤレス端末１００は、決定された間隔および／または量に従って選択されたＲＬＣパラメータを調節することができる。以下に議論される例示的な実施形態では、ワイヤレス端末１００は、ＲＬＣ最大リセットタイマおよびカウンタを拡張することができる。
【００５８】
いくつかの実施形態では、最大リセットタイマは、例えば、ＲＥＳＥＴ  ＰＤＵの再送信をトリガするために使用することができる、（ミリセカンドにおいて）整数値域を有することができる。例示的な値は、５０、１００、１５０、２００、２５０、３００、３５０、４００、４５０、５００、５５０、６００、７００、８００、９００および１０００ミリセカンドを含む。実施形態では、最大リセットタイマの値域は、１０００ミリセカンドを越えて拡張することができる。ワイヤレス端末１００（またはＲＬＣ送信エンティティ）がネットワーク（またはＲＬＣ受信エンティティ）からＲＥＳＥＴ  ＡＣＫをまったく受信しない場合、値域拡張は、整数値において線形または指数関数的な増加であることができる。
【００５９】
同様に、最大リセットカウンタは、回復不能エラーが生じたと判断する前に、何回ＲＥＳＥＴ  ＰＤＵ送信されることになるのかを定義する整数値域を有し得る。例示的な値は、１、４、６、８、１２、１６、２４および３２を含む。実施形態では、最大リセットカウンタの値域は、３２を越えて拡張することができ、ワイヤレス端末が回復不能なエラーを生じたと決定することができないことになる、「無限」値を含むことができる。
【００６０】
最大リセットタイムを拡張した値域と最大リセットカウンタを拡張した地域との両方に対して、値域拡張は、ワイヤレス端末１００がパケット交換（ＰＳ）部分と回路交換（ＣＳ）部分との両方がアクティブであるマルチ−ＲＡＢ呼中である場合に限定されることができる。ＣＳ部分がリリースされる場合、ワイヤレス端末１００は、ＲＬＣ設定を値域−拡張することをやめることができる。
【００６１】
図４は、ワイヤレス端末における送信電力制御の方法の別の実装形態を示すフローチャートである。方法４００はここでは、図１を参照して上で論じたワイヤレス端末１００を参照して記述されるが、方法４００は、例えば、デバイス２１０および２５０（図２）の一方または両方など、他のどの適切なデバイスによって実装されてもよいことが当業者には諒解されよう。ある実施形態では、方法４００は、送信機１６２、受信機１６４、およびメモリ１２０とともに、ＣＰＵ１１０によって実施することができる。本明細書では、方法４００を特定の順序に関して説明しているが、様々な実施形態において、本明細書のブロックは異なる順序で実行されても、または省略されてもよく、さらなるブロックが追加されてもよい。
【００６２】
最初に、方法４００は、ブロック４１０で始まり、ここでワイヤレス端末１００は、ＲＬＣ制御情報を受信する。ワイヤレス端末１００は、ＲＬＣ制御情報を、例えば、基地局１０１からアンテナ１７０を介して受信することができる。様々な実施形態において、ＲＬＣ制御情報は、１つまたは複数のＲＬＣパラメータの調節を、ワイヤレス端末１００に要求および／またはコマンドすることができる。
【００６３】
次に、ブロック４２０で、ワイヤレス端末１００は、１つまたは複数のＲＦ状態を検出する。以上議論されるように、ＲＦ状態は、（ＲＳＣＰ、Ｅｃ／Ｎｏ、ＣＱＩなどのような）ＲＦ品質測定値、（物理レイヤ、ＭＡＣレイヤ、ＲＬＣレイヤなどのような）様々なレイヤでのブロック誤り率（ＢＬＥＲ）、再送信の数、ＲＬＣリセットの発生、不良ＲＦ状態を反映する他のトリガポイントのうちの１つまたは複数を含むことができる。いくつかの実施形態では、ワイヤレス端末１００は、１つまたは複数のＲＦメトリクスをしきい値と比較することができる。ワイヤレス端末１００が１つまたは複数のＲＦ状態を検出する場合、方法４００は、ブロック４３０に進む。
【００６４】
その後、ブロック４３０で、ワイヤレス端末１００は、受信したＲＬＣ制御情報と無関係に、１つまたは少なくとも１つのＲＬＣフロー制御を動的に調節する。例えば、ワイヤレス端末１００は、受信したＲＬＣ制御情報中に示された値を超えて１つまたは複数のタイマおよび／またはカウンタを拡張することがある。いくつかの実施形態では、ワイヤレス端末１００は、受信したＲＬＣ制御情報中に示された値にＲＬＣフロー制御を調節することを控え得る。
【００６５】
従って、ワイヤレス端末１００は、ＲＬＣフロー制御パラメータをいつそしてどのように調節するかを独立してまたは一方向のみに決定することができる。様々な環境では、ワイヤレス端末１００は、同時音声チャネルを維持する可能性を増加させるためにデータチャネルを通じてデータがどのように流れるのかをより良く決定することができる。
【００６６】
図５は、別のワイヤレス端末の例示的な機能ブロック図を示す。ワイヤレス端末は、図５に示される簡略化されたワイヤレス端末５００よりも多くの構成要素を有し得ることが、当業者には諒解されよう。ワイヤレス端末５００は、特許請求の範囲内の実装形態のいくつかの顕著な特徴を説明するのに有用な構成要素のみを示す。
【００６７】
図示の実施形態では、ワイヤレス端末５００は、受信回路５３０と、検出回路５４０と、調節回路５５０と、アンテナ５６０とを含む。一実装形態では、受信回路５３０は、ＲＬＣ制御情報を受信するように構成される。例えば、受信回路は、上記図４に関して説明したブロック４１０を実行するように構成され得る。１つの実装形態では、受信するための手段は、受信回路５３０を含む。
【００６８】
検出回路５４０は、１つまたは複数のＲＦ状態を検出するように構成される。例えば、検出回路５４０は、上記図４に関して説明したブロック４２０を実行するように構成され得る。いくつかの実装形態では、検出するための手段は、検出回路５４０を含む。
【００６９】
調節回路５５０は、受信したＲＬＣ制御情報と無関係に、少なくとも１つのＲＬＣフロー制御パラメータを調節するように構成される。例えば、調節回路５５０は、図４に関して説明したブロック４３０を実行するように構成され得る。一実装形態では、調節するための手段は、調節回路５５０を含む。
【００７０】
ワイヤレス端末は、ユーザ機器、加入者局、加入者ユニット、移動局、モバイル電話、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、ワイヤレス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備えることができ得る。したがって、本明細書で教示する１つまたは複数の態様は、電話（例えば、セルラー電話またはスマートフォン）、コンピュータ（例えば、ラップトップ）、携帯型通信デバイス、携帯型コンピューティングデバイス（例えば、個人情報端末）、娯楽デバイス（例えば、音楽デバイス、ビデオデバイス、または衛星ラジオ）、全地球測位システムデバイス、またはワイヤレス媒体を介して通信するように構成された他の好適デバイスに組み込むことができる。
【００７１】
基地局は、ノードＢ、ｅノードＢ、無線ネットワーク制御器（ＲＮＣ）、基地局（ＢＳ）、無線基地局（ＲＢＳ）、基地局制御器（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、または何らかの他の同様の用語を備えるか、それらのいずれかとして実装されるか、あるいはそれらのいずれかとして知られることがある。
【００７２】
いくつかの態様では、基地局は、通信システムのためのアクセスノードを備えることができる。そのようなアクセスノードは、例えば、ネットワークへのワイヤードまたはワイヤレス通信リンクを介した、ネットワーク（例えば、インターネットまたはセルラーネットワークなどのワイドエリアネットワーク）のための、またはネットワークへの接続性を提供することができる。したがって、基地局は、別のノード（例えば、ワイヤレス端末）がネットワークまたは何らかの他の機能にアクセスできるようにすることができる。さらに、一方または両方のノードはポータブルでも、場合によっては比較的非ポータブルでもよいことを諒解されたい。
【００７３】
また、ワイヤレスノードは、非ワイヤレス方式で（例えば、ワイヤード接続を介して）情報を送信および／または受信することができることを諒解されたい。したがって、本明細書で説明する受信機および送信機は、非ワイヤレス媒体を介して通信するために適切な通信インターフェース構成要素（例えば、電気的または光学的インターフェース構成要素）を含むことができる。
【００７４】
ワイヤレス端末またはノードは、好適なワイヤレス通信技術に基づくあるいはサポートする１つまたは複数のワイヤレス通信リンクを介して通信することができる。例えば、いくつかの態様では、ワイヤレス端末はネットワークに関連付けることができる。いくつかの態様では、ネットワークはローカルエリアネットワークまたはワイドエリアネットワークを備えることができる。ワイヤレス端末は、本明細書で説明する様々なワイヤレス通信技術、プロトコル、または規格（例えば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレス端末は、様々な対応する変調方式または多重化方式のうちの１つまたは複数をサポートまたは使用することができる。したがって、ワイヤレス端末は、上記または他のワイヤレス通信技術を使用して１つまたは複数のワイヤレス通信リンクを確立し、それを介して通信するために適切な構成要素（例えば、エアインターフェース）を含むことができる。例えば、ワイヤレス端末は、ワイヤレス媒体上の通信を可能にする様々な構成要素（例えば、信号発生器および信号処理器）を含むことができる関連する送信機構成要素および受信機構成要素をもつワイヤレストランシーバを備えることができる。
【００７５】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用でき得る。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備えることがある。
【００７６】
情報および信号は様々な異なる技術および技法のいずれかを使用して表すことができることを、当業者は理解されよう。例えば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００７７】
さらに、本明細書で開示した態様に関して説明した様々な例示的な論理ブロック、モジュール、プロセッサ、手段、回路、およびアルゴリズムステップのいずれかは、電子ハードウェア（例えば、ソースコーディングまたは何らかの他の技法を使用して設計できる、デジタル実装形態、アナログ実装形態、またはそれら２つの組合せ）、命令を組み込んだ様々な形態のプログラムもしくは設計コード（便宜上、本明細書では「ソフトウェア」または「ソフトウェアモジュール」と呼ぶことがある）、または両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００７８】
本明細書で開示した態様に関して説明した様々な例示的な論理ブロック、モジュール、および回路は、集積回路（ＩＣ）、ワイヤレス端末、または基地局内に実装でき得るか、またはそれらによって実行でき得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気的構成要素、光学的構成要素、機械的構成要素、または本明細書で説明する機能を実行するように設計されたそれらの任意の組合せを備えることができ、かつＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、制御器、マイクロ制御器、またはステートマシンとすることができる。少なくとも１つのプロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成として実装することもできる。
【００７９】
開示されたプロセス中のステップの特定の順序またはステップのヒエラルキは例示的な手法の一例であることを理解されたい。設計の選好に基づいて、プロセス中のステップの特定の順序またはステップのヒエラルキは本開示の範囲内のまま再構成できることを理解されたい。添付の方法クレームは、様々なステップの要素を例示的な順序で提示したものであり、提示された特定の順序またはステップのヒエラルキに限定されるものではない。
【００８０】
説明した機能は、ハードウェア、ソフトウェア、ファームウェア、またはそれらの組合せで実装できる。ソフトウェアで実装する場合、機能は、１つまたは複数の命令またはコードとしてコンピュータ可読媒体上に記憶するか、またはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体でよい。限定ではなく、例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令またはデータ構造の形態の所望のプログラムコードを担持または記憶するために使用でき、かつコンピュータによってアクセスできる、任意の他の媒体を備えることができる。同様に、いかなる接続も適切にコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピーディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。要約すると、コンピュータ可読媒体は任意の好適なコンピュータプログラム製品に実装できることを諒解されたい。
【００８１】
上記の説明は、いかなる当業者も添付の特許請求の範囲内の実装形態を作成または使用することができるように提供したものである。これらの態様への様々な変更は当業者にはすぐに明らかになり、本明細書で定義された包括的な原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
音声およびデータ通信におけるワイヤレス接続を管理する方法であって、
無線リンク制御（ＲＬＣ）制御情報を受信することと、
１つまたは複数の周波数（ＲＦ）状態を検出することと、
前記受信したＲＬＣ制御情報と無関係に、前記ＲＦ状態に応じてＲＬＣフロー制御を動的に調節することと
を備える方法。
［Ｃ２］
前記調節は、ユーザ機器が実行する、
［Ｃ１］に記載の方法。
［Ｃ３］
前記調節は、ネットワーク機器が実行する、
［Ｃ１］に記載の方法。
［Ｃ４］
前記調節は、１つまたは複数のＲＬＣパラメータを備える、
［Ｃ１］に記載の方法。
［Ｃ５］
前記調節は、それぞれ標準化された値を超える前記１つまたは複数のＲＬＣパラメータを調節することを備える、
［Ｃ５］に記載の方法。
［Ｃ６］
前記調節は、許容できるＲＬＣパラメータ設定の範囲を超えることを備える、
［Ｃ５］に記載の方法。
［Ｃ７］
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
［Ｃ５］に記載の方法。
［Ｃ８］
前記検出することは、ＲＦ測定値、ブロック誤り率（ＢＬＥＲ）、再送信の数、およびＲＬＣリセットの発生頻度のうちの少なくとも１つによってトリガされる、
［Ｃ１］に記載の方法。
［Ｃ９］
音声およびデータ通信におけるワイヤレス接続を管理するように構成されたデバイスであって、
無線リンク制御（ＲＬＣ）制御情報を受信するように構成された受信機と、
１つまたは複数の周波数（ＲＦ）状態を検出し、
前記受信したＲＬＣ制御情報と無関係に、前記ＲＦ状態に応じてＲＬＣフロー制御を動的に調節する
ように構成された制御器と
を備える、デバイス。
［Ｃ１０］
前記デバイスは、ユーザ機器として構成される、
［Ｃ９］に記載のデバイス。
［Ｃ１１］
前記デバイスは、ネットワーク機器として構成される、
［Ｃ９］に記載のデバイス。
［Ｃ１２］
前記制御器は、１つまたは複数のＲＬＣパラメータを調節することによって前記ＲＬＣフロー制御を調節するように構成される、
［Ｃ９］に記載のデバイス。
［Ｃ１３］
前記制御器は、それぞれ標準化された値を超える１つまたは複数のＲＬＣパラメータを調節することによって前記ＲＬＣフロー制御を調節するように構成される、
［Ｃ１２］に記載のデバイス。
［Ｃ１４］
前記制御器は、許容できるＲＬＣパラメータ設定の範囲を超えることによって前記ＲＬＣフロー制御を調節するように構成される、
［Ｃ１２］に記載のデバイス。
［Ｃ１５］
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
［Ｃ１２］に記載のデバイス。
［Ｃ１６］
前記制御器は、ＲＦ測定値、ブロック誤り率（ＢＬＥＲ）、再送信の数、およびＲＬＣリセットの発生頻度のうちの少なくとも１つによってトリガされる、前記１つまたは複数の無線周波数（ＲＦ）状態を検出するように構成される、
［Ｃ９］に記載のデバイス。
［Ｃ１７］
音声およびデータ通信におけるワイヤレス接続を管理する装置であって、
無線リンク制御（ＲＬＣ）制御情報を受信するための手段と、
１つまたは複数の周波数（ＲＦ）状態を検出するための手段と、
前記受信したＲＬＣ制御情報と無関係に、前記ＲＦ状態に応じてＲＬＣフロー制御を動的に調節するための手段と
を備える装置。
［Ｃ１８］
前記調節するための手段は、ユーザ機器を備える、
［Ｃ１７］に記載の装置。
［Ｃ１９］
前記調節するための手段は、ネットワーク機器を備える、
［Ｃ１７］に記載の装置。
［Ｃ２０］
調節するための手段は、１つまたは複数のＲＬＣパラメータを備える、
［Ｃ１７］に記載の装置。
［Ｃ２１］
調節するための手段は、それぞれ標準化された値を超える前記１つまたは複数のＲＬＣパラメータを調節することを備える、
［Ｃ２０］に記載の装置。
［Ｃ２２］
調節するための手段は、許容できるＲＬＣパラメータ設定の範囲を超えるための手段を備える、
［Ｃ２０］に記載の装置。
［Ｃ２３］
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
［Ｃ２０］に記載の装置。
［Ｃ２４］
前記検出するための手段は、ＲＦ測定値、ブロック誤り率（ＢＬＥＲ）、再送信の数、およびＲＬＣリセットの発生頻度のうちの少なくとも１つによってトリガされる、
［Ｃ１７］に記載の装置。
［Ｃ２５］
装置の少なくとも１つのプロセッサによって実行される場合、前記装置に、
無線リンク制御（ＲＬＣ）制御情報を受信し、
１つまたは複数の無線周波数（ＲＬ）状態を検出し、
前記受信したＲＬＣ制御情報と無関係に、前記ＲＦ状態に応じてＲＬＣフロー制御を動的に調節する
ことを行わせる命令を備える
非一時的コンピュータ可読記憶媒体。
［Ｃ２６］
前記装置は、ユーザ機器を備える、
［Ｃ２５］に記載の媒体。
［Ｃ２７］
前記装置は、ネットワーク機器を備える、
［Ｃ２５］に記載の媒体。
［Ｃ２８］
前記装置の少なくとも１つのプロセッサによって実行される場合、前記装置に、１つまたは複数のＲＬＣパラメータを調節することを行わせる命令をさらに備える、
［Ｃ２５］に記載の媒体。
［Ｃ２９］
前記装置の少なくとも１つのプロセッサによって実行される場合、前記装置に、それぞれ標準化された値を超える前記１つまたは複数のＲＬＣパラメータを調節することを行わせる命令をさらに備える、
［Ｃ２８］に記載の媒体。
［Ｃ３０］
前記装置の少なくとも１つのプロセッサによって実行される場合、前記装置に、許容できるＲＬＣパラメータ設定の範囲を超えることを行わせる命令をさらに備える、
［Ｃ２８］に記載の媒体。
［Ｃ３１］
前記１つまたは複数のＲＬＣパラメータは、最大リセットパラメータおよびカウンタ、ＲＬＣウィンドウサイズ、リセットタイマ、およびステータスタイマのうちの１つまたは複数を備える、
［Ｃ２８］に記載の媒体。
［Ｃ３２］
前記装置の少なくとも１つのプロセッサによって実行される場合、前記装置に、ＲＦ測定値、ブロック誤り率（ＢＬＥＲ）、再送信の数、およびＲＬＣリセットの発生頻度のうちの少なくとも１つによって前記検出をトリガすることを行わせる命令をさらに備える、
［Ｃ２５］に記載の媒体。
【図１】
0005897709.tif 000002
【図２】
0005897709.tif 000003
【図３】
0005897709.tif 000004
【図４】
0005897709.tif 000005
【図５】
0005897709.tif 000006